【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
前後方向に長く延び、その内部空間に人体を横たえて収容可能とする袋状体と、上記人体を加熱可能とするヒーターとを備えた温熱健康器において、
上記袋状体が、前後方向に延びて人体を載置可能とする主シートと、上記人体の脚部側に対応する上記主シートの後部の外縁部から延出する脚覆いシートと、上記主シートの前部の各外側縁部からそれぞれ延出する左右一対の上体覆いシートと、上記主シート上に折り畳んだ上記脚覆いシートの外縁部と上記主シート側とを互いに連結、解除可能とする後部ファスナーと、上記主シート上に折り畳んだ上記両上体覆いシートの各延出端縁部同士を互いに連結、解除可能とする前部ファスナーとを備えたことを特徴とする温熱健康器。
【請求項２】
上記脚覆いシートが、上記袋状体を水平な仮想平面上に展開したとき、上記主シートの後縁部から後方に向けて延出する脚覆いシート本体を備え、上記主シートの後部の各外側縁部からそれぞれ外側方に延出する左右一対の側部シートを設け、上記後部ファスナーが、上記折り畳んだ脚覆いシート本体の各外側縁部と、起立姿勢にさせた上記両側部シートの各延出端縁部とを連結、解除可能とするようにし、かつ、上記のようにそれぞれ折り畳んだ脚覆いシートの脚覆いシート本体の前縁部と両上体覆いシートの各後縁部とを互いに着脱可能とする中途部ファスナーを備えたことを特徴とする請求項１に記載の温熱健康器。
【請求項３】
前後方向における上記主シートの全長と、上記上体覆いシートの全長との比をほぼ３：２としたことを特徴とする請求項１、もしくは２に記載の温熱健康器。
【手続補正２】
【補正対象書類名】明細書
【補正対象項目名】全文
【補正方法】変更
【補正の内容】
【発明の詳細な説明】
【発明の名称】温熱健康器
【技術分野】
【０００１】
本発明は、袋状体に収容された人体をヒーターにより温かく加熱して、健康を向上させるようにした温熱健康器に関するものである。
【背景技術】
【０００２】
上記温熱健康器には、従来、下記特許文献１に示されるものがある。この公報のものによれば、上記温熱健康器は、シート材により成形されて前後方向に長く延び、その内部空間に人体を横たえて収容可能とする袋状体と、上記人体を加熱可能とするヒーターとを備えている。上記袋状体は、前後方向に延びて人体を載置可能とする主シートと、この主シート上に重ね合わされて人体のほぼ全体を覆う覆いシートと、これら主シートと覆いシートとの各外側縁部同士を互いに着脱可能とする左右一対のファスナーとを備えている。
【０００３】
そして、上記袋状体の内部に人体を横たえて収容し、ヒーターにより加熱すれば、上記のように袋状体に収容された人体は全体的に温かく加熱されて、温熱療法等が行われるようになっている。
【０００４】
ここで、上記袋状体に対し、人がその人体を自ら収容させようとするときには、次のようにすることが考えられる。即ち、まず、上記各ファスナーを操作して、上記人体の脚部側に対応する上記主シートと覆いシートとの各後部の各外側縁部同士を互いに連結する。次に、上記主シート上に人体の脚部を延ばして座り、上記主シートと覆いシートとの各後部の間に脚部を収容する。次に、上記主シートと覆いシートとの各前部の各外側縁部同士を互いに上記各ファスナーへの操作により連結し始める。
【０００５】
この際、上記連結の進行に伴い上記主シートの前部上に人体の上体を横たえ、かつ、この上体をねじって横向き姿勢をとりながら、その人自身が上記左右各ファスナーをそれぞれ操作し、上記主シートと覆いシートとの各外側縁部同士を互いに連結させる。そして、この連結の進行が完了すれば、人体は全体的に上記袋状体に収容される。
【特許文献１】特開２００２−１７７６９号公報
【発明の開示】
【発明が解決しようとする課題】
【０００６】
ところで、上記袋状体の内部空間は狭いものである。このため、上記したように袋状体に人体を自ら収容させようとして各ファスナーをそれぞれ操作する際に、人体を横たえ、上体をねじって横向き姿勢をとりながら上記操作をする、ということは極めて煩雑である。つまり、上記温熱健康器を使用しようとするときの取り扱いが煩雑になりがちである。
【０００７】
また、上記袋状体は、その自由状態では偏平形状になると考えられる。このため、上記袋状体に人体を収容させたとき、この人体の上面の各部にそれぞれ上記覆いシートが接合して、これら人体の上面と覆いシートとの間に生じる空間が狭められると共に、この空間が分断されて不連続になりがちである。この結果、人体の上面側における比較的に高温の空気の対流が阻害されて、温熱健康器による人体の加熱に偏りが生じ、つまり、加熱が不均一になるおそれがある。
【課題を解決するための手段】
【０００８】
本発明は、上記のような事情に注目してなされたもので、本発明の目的は、温熱健康器を使用しようとするときの取り扱いが容易にできるようにすることである。
【０００９】
また、本発明の他の目的は、温熱健康器による人体の加熱がより均一になされるようにすることである。
【００１０】
請求項１の発明は、前後方向に長く延び、その内部空間２に人体３を横たえて収容可能とする袋状体４と、上記人体３を加熱可能とするヒーター５とを備えた温熱健康器において、
上記袋状体４が、前後方向に延びて人体３を載置可能とする主シート８と、人体３の脚部７側に対応する上記主シート８の後部の外縁部から延出する脚覆いシート９と、上記主シート８の前部の各外側縁部からそれぞれ延出する左右一対の上体覆いシート１０，１０と、上記主シート８上に折り畳んだ上記脚覆いシート９の外縁部と上記主シート８側とを互いに連結、解除可能とする後部ファスナー１７と、上記主シート８上に折り畳んだ上記両上体覆いシート１０の各延出端縁部同士を互いに連結、解除可能とする前部ファスナー１８とを備えたものである。
【００１１】
請求項２の発明は、請求項１の発明に加えて、上記脚覆いシート９が、上記袋状体４を水平な仮想平面１２上に展開したとき、上記主シート８の後縁部から後方に向けて延出する脚覆いシート本体１３を備え、上記主シート８の後部の各外側縁部からそれぞれ外側方に延出する左右一対の側部シート１４，１４を設け、上記後部ファスナー１７が、上記折り畳んだ脚覆いシート本体１３の各外側縁部と、起立姿勢にさせた上記両側部シート１４の各延出端縁部とを連結、解除可能とするようにし、かつ、上記のようにそれぞれ折り畳んだ脚覆いシート９の脚覆いシート本体１３の前縁部と両上体覆いシート１０，１０の各後縁部とを互いに着脱可能とする中途部ファスナー１９を備えたものである。
【００１２】
請求項３の発明は、請求項１、もしくは２の発明に加えて、前後方向における上記主シート８の全長Ｌ１と、上記上体覆いシート１０の全長Ｌ２との比をほぼ３：２としたものである。
【００１３】
なお、この項において、上記各用語に付記した符号は、本発明の技術的範囲を後述の「実施例」の項や図面の内容に限定解釈するものではない。
【発明の効果】
【００１４】
本発明による効果は、次の如くである。
【００１５】
請求項１の発明は、前後方向に長く延び、その内部空間に人体を横たえて収容可能とする袋状体と、上記人体を加熱可能とするヒーターとを備えた温熱健康器において、
上記袋状体が、前後方向に延びて人体を載置可能とする主シートと、人体の脚部側に対応する上記主シートの後部の外縁部から延出する脚覆いシートと、上記主シートの前部の各外側縁部からそれぞれ延出する左右一対の上体覆いシートと、上記主シート上に折り畳んだ上記脚覆いシートの外縁部と上記主シート側とを互いに連結、解除可能とする後部ファスナーと、上記主シート上に折り畳んだ上記両上体覆いシートの各延出端縁部同士を互いに連結、解除可能とする前部ファスナーとを備えており、次の作用効果が生じる。
【００１６】
即ち、上記温熱健康器を用いて人がその人体を温かく加熱しようとするに際しては、例えば、まず、上記主シートの後部上に脚覆いシートを折り畳み、上記温熱健康器の外部から上記各後部ファスナーを操作して、脚覆いシートを上記主シート側に連結させる。次に、この主シート上に人がその人体の脚部を延ばして座り、上記主シートの後部と脚覆いシートとの間に脚部を収容する。
【００１７】
そして、上記のように座った状態で、上記両上体覆いシートを上記主シート上に折り畳み、上記前部ファスナーを操作して、上記両上体覆いシートの各後端部同士を連結する。
【００１８】
次に、上記主シートの前部上に人体の上体を横たえながら、その人自身が上記前部ファスナーを操作して、上記両上体覆いシート同士を互いに連結させる。すると、人体が全体的に上記袋状体に収容される。
【００１９】
そして、上記ヒーターをオンして発熱させてやれば、上記袋状体の内部空間において、人体が温かく加熱される。
【００２０】
ここで、上記したように、主シートの前部上に人体の上体を横たえながら、その人自身が上記前部ファスナーを操作して、両上体覆いシートを互いに連結させるとき、上記前部ファスナーに対する操作は、仰向き姿勢の人体の正面側ですることができる。よって、上記前部ファスナーの操作時に、袋状体内の狭い内部空間で上体をねじって横向き姿勢をとる、という従来の技術のような操作は不要であり、その分、上記温熱健康器を使用しようとするときの取り扱いが容易にできる。
【００２１】
請求項２の発明は、上記脚覆いシートが、上記袋状体を水平な仮想平面上に展開したとき、上記主シートの後縁部から後方に向けて延出する脚覆いシート本体を備え、上記主シートの後部の各外側縁部からそれぞれ外側方に延出する左右一対の側部シートを設け、上記後部ファスナーが、上記折り畳んだ脚覆いシート本体の各外側縁部と、起立姿勢にさせた上記両側部シートの各延出端縁部とを連結、解除可能とするようにし、かつ、上記のようにそれぞれ折り畳んだ脚覆いシートの脚覆いシート本体の前縁部と両上体覆いシートの各後縁部とを互いに着脱可能とする中途部ファスナーを備えている。
【００２２】
このため、上記脚覆いシートの脚覆いシート本体と両側部シートとを上記後部ファスナーにより連結すると、上記脚覆いシートの脚覆いシート本体と両側部シートとは、その自由状態で、ある程度箱形状となるよう保形される。また、このように保形される脚覆いシートに対し両上体覆いシートの各後縁部が上記中途部ファスナーにより連結される。
【００２３】
よって、上記人体の下肢側の上面の各部に脚覆いシートの脚覆いシート本体および上体覆いシートの後部側が接合するということが抑制され、これら人体の下肢側の上面と脚覆いシートの脚覆いシート本体および上体覆いシートの後部側との間には、容量が大きく、かつ、連続する空間が確保され易くなる。この結果、人体の下肢側の上面側における比較的に高温の空気には対流が生じ易くなって、人体の加熱がより均一になされ、これは、健康を向上させる上で有益である。
【００２４】
請求項３の発明は、前後方向における上記主シートの全長と、上記上体覆いシートの全長との比をほぼ３：２としている。
【００２５】
このため、上記温熱健康器を収納したり、搬送したりするときには、まず、上記主シート上に上記脚覆いシートを重ね合わせる一方、上記主シート上に上記両上体覆いシートを重ね合わせる。
【００２６】
次に、上記両上体覆いシートの後縁部に隣接する上記脚覆いシート側の部分を谷折れ線として、上記両上体覆いシート上に上記脚覆いシート側を重ね合わせる。次に、この脚覆いシート側の前縁部に隣接する上記両上体覆いシート側の部分を谷折れ線として、上記脚覆いシート側上に上記両上体覆いシート側を重ね合わせる。すると、上記温熱健康器が三枚重ね状に容易にコンパクトにされて、携行用バッグなどへの収容ができる。
【００２７】
よって、上記温熱健康器を収納したり、搬送したりするときに温熱健康器をコンパクトにするための作業が極めて容易にできて便利である。
【発明を実施するための最良の形態】
【００２８】
本発明の温熱健康器に関し、温熱健康器を使用しようとするときの取り扱いが容易にできるようにする、という目的を実現するため、本発明を実施するための最良の形態は、次の如くである。
【００２９】
即ち、温熱健康器は、前後方向に長く延び、その内部空間に人体を横たえて収容可能とする袋状体と、上記人体を加熱可能とするヒーターとを備えている。上記袋状体は、前後方向に延びて人体を載置可能とする主シートと、人体の脚部側に対応する上記主シートの後部の外縁部から延出する脚覆いシートと、上記主シートの前部の各外側縁部からそれぞれ延出する左右一対の上体覆いシートと、上記主シート上に折り畳んだ上記脚覆いシートの外縁部と上記主シート側とを互いに連結、解除可能とする後部ファスナーと、上記主シート上に折り畳んだ上記両上体覆いシートの各延出端縁部同士を互いに連結、解除可能とする前部ファスナーとを備えている。
【実施例】
【００３０】
本発明をより詳細に説明するために、その実施例を添付の図に従って説明する。
【００３１】
図１−３において、符号１は温熱健康器である。また、説明の便宜上、矢印Ｆｒの方向を前方として、以下説明する。
【００３２】
上記温熱健康器１は、前後方向に長く延び、その内部空間２に人体３を横たえて収容可能とする可撓性シート材製の袋状体４と、上記人体３を加熱可能とするヒーター５と、このヒーター５を電源に接続可能とする入力電線６とを備えている。
【００３３】
上記袋状体４は、前後方向に長く延びて上記人体３を載置可能とする長方形状の主シート８と、人体３の脚部７側に対応する上記主シート８の後部の外縁部から延出する脚覆いシート９と、上記主シート８の前部の各外側縁部からそれぞれ延出する左右一対の上体覆いシート１０，１０とを備えている。上記主シート８は複数枚（２枚）重ね式のシート材で構成され、これらシート材の間に上記ヒーター５が挟まれている。このヒーター５は、遠赤外線を放射可能な可撓性シート状の発熱体である。上記両上体覆いシート１０は互いに左右対称形であり、かつ、それぞれの幅寸法は、前方に向かうに従い直線的に漸増させられている。
【００３４】
上記脚覆いシート９は、上記袋状体４を水平な仮想平面１２上に展開したとき、上記主シート８の後縁部から後方に向けて延出する脚覆いシート本体１３と、上記脚覆いシート本体１３の延出端縁部の内部に設けられる樹脂製の剛性バー１５とを備えている。この剛性バー１５は、上記脚覆いシート本体１３の延出端縁部の幅方向のほぼ全体にわたり設けられており、多少の弾性を有している。また、上記主シート８の後部の各外側縁部からそれぞれ外側方に延出する左右一対の側部シート１４，１４が設けられている。
【００３５】
また、上記袋状体４は、上記主シート８上に折り畳んだ上記脚覆いシート９の脚覆いシート本体１３の各外側縁部と起立姿勢にさせた上記両側部シート１４の各延出端縁部および後縁部とを互いに連結、解除可能とする後部ファスナー１７と、上記主シート８上に折り畳んだ上記両上体覆いシート１０，１０の各延出端縁部同士を互いに連結、解除可能とする前部ファスナー１８と、上記のようにそれぞれ折り畳んだ脚覆いシート９の脚覆いシート本体１３の前縁部、および各側部シート１４の前縁部と両上体覆いシート１０，１０の各後縁部とを互いに連結、解除可能とする中途部ファスナー１９とを備えている。
【００３６】
上記後部ファスナー１７と前部ファスナー１８とはそれぞれチャックで構成されている。上記主シート８上に折り畳んだ脚覆いシート９の脚覆いシート本体１３の前縁部上、および各側部シート１４の前縁部の外側面に、上記両上体覆いシート１０，１０の各後縁部が重ね合わされており、これら脚覆いシート９の脚覆いシート本体１３の前縁部、および各側部シート１４の前縁部と、両上体覆いシート１０，１０の各後縁部との間に面テープである上記中途部ファスナー１９が配置されている。
【００３７】
図１において、上記主シート８と両上体覆いシート１０との各前縁部は前後方向で互いにほぼ同じ所に位置させられている。そして、前後方向における上記主シート８の全長Ｌ１と、上記上体覆いシート１０の全長Ｌ２との比はほぼ３：２とされている。
【００３８】
上記温熱健康器１を用いて人がその人体３を温かく加熱しようとするに際し、上記袋状体４に対し、人がその人体３を自ら収容させようとするときには、例えば、次のようにすることができる。
【００３９】
即ち、まず、上記袋状体４を、図１，２中実線で示すように、仮想平面１２上に展開する。そして、上記主シート８の後部上に脚覆いシート９の脚覆いシート本体１３を折り畳むと共に、両側部シート１４をそれぞれ起立姿勢にさせ、上記温熱健康器１の外部から上記各後部ファスナー１７を操作して、脚覆いシート９の脚覆いシート本体１３の両外側縁部と両側部シート１４の各延出端縁部および後縁部とを連結させる（図１，２中二点鎖線、図３）。すると、上記主シート８の後部と脚覆いシート９の脚覆いシート本体１３と両側部シート１４，１４とは、その自由状態で箱形状となるようある程度保形される。次に、上記主シート８上に人がその人体３の脚部７を延ばして座り、上記主シート８の後部と脚覆いシート９との間に脚部７を収容する（図２中一点鎖線）。
【００４０】
そして、上記のように座った状態で、上記両上体覆いシート１０を上記主シート８上に折り畳み、上記中途部ファスナー１９により上記脚覆いシート９の脚覆いシート本体１３の前縁部と上記両上体覆いシート１０の各後縁部とを連結させる。また、この際、上記前部ファスナー１８を操作して、上記両上体覆いシート１０，１０の各後端部同士を連結する。
【００４１】
次に、上記主シート８の前部上に人体３の上体２３を横たえながら、その人自身が上記前部ファスナー１８を操作して、上記両上体覆いシート１０，１０同士を互いに連結させる。すると、人体３が全体的に上記袋状体４に収容される（図１，２中二点鎖線）。この場合、人体３の頭部２４は上記袋状体４の前方の外部に位置することとされ、枕２５によって仮想平面１２上に支持される。
【００４２】
そして、上記ヒーター５をオンして発熱させ、遠赤外線を発生させてやれば、上記袋状体４の内部空間２において、人体３が温かく加熱される。なお、上記ヒーター５はタイマーにより所定時間経過後に自動的にオフされるようになっており、これにより、人体３の過加熱が防止される。また、このタイマーは所定時間の長さ調整が可能とされている。
【００４３】
ここで、上記したように、主シート８の前部上に人体３の上体２３を横たえながら、その人自身が上記前部ファスナー１８を操作して、両上体覆いシート１０，１０を互いに連結させるとき、上記前部ファスナー１８に対する操作は、仰向き姿勢の人体３の正面側ですることができる。よって、上記前部ファスナー１８の操作時に、袋状体４内の狭い内部空間２で上体２３をねじって横向き姿勢をとる、という従来の技術のような操作は不要であり、その分、上記温熱健康器１を使用しようとするときの取り扱いが容易にできる。
【００４４】
また、前記したように、脚覆いシート９が、上記袋状体４を水平な仮想平面１２上に展開したとき、上記主シート８の後縁部から後方に向けて延出する脚覆いシート本体１３を備え、上記主シート８の後部の各外側縁部からそれぞれ外側方に延出する左右一対の側部シート１４，１４を設け、上記後部ファスナー１７が、上記折り畳んだ脚覆いシート本体１３の各外側縁部と、起立姿勢にさせた上記両側部シート１４の各延出端縁部とを連結、解除可能とするようにし、かつ、上記のようにそれぞれ折り畳んだ脚覆いシート９の脚覆いシート本体１３の前縁部と両上体覆いシート１０，１０の各後縁部とを互いに着脱可能とする中途部ファスナー１９を備えている。
【００４５】
このため、上記脚覆いシート９の脚覆いシート本体１３と両側部シート１４とを上記後部ファスナー１７により連結すると、上記脚覆いシート９の脚覆いシート本体１３と、両側部シート１４，１４とは、その自由状態で、ある程度箱形状となるよう保形される（図３）。また、このように保形される脚覆いシート９に対し両上体覆いシート１０の各後縁部が上記中途部ファスナー１９により連結される。
【００４６】
よって、上記人体３の下肢側の上面の各部に脚覆いシート９の脚覆いシート本体１３および上体覆いシート１０の後部側が接合するということが抑制され、これら人体３の下肢側の上面と脚覆いシート９の脚覆いシート本体１３および上体覆いシート１０の後部側との間には、容量が大きく、かつ、連続する空間が確保され易くなる。この結果、人体３の下肢側の上面側における比較的に高温の空気には対流が生じ易くなって、人体３の加熱がより均一になされ、これは、健康を向上させる上で有益である。
【００４７】
また、前記したように、前後方向における上記主シート８の全長Ｌ１と、上記上体覆いシート１０の全長Ｌ２との比をほぼ３：２としている。
【００４８】
このため、上記温熱健康器１を収納したり、搬送したりするときには、まず、図４中実線で示すように、上記主シート８上に上記脚覆いシート９の脚覆いシート本体１３と各側部シート１４とを重ね合わせ、次に、上記主シート８上に上記両上体覆いシート１０を重ね合わせる。
【００４９】
次に、上記両上体覆いシート１０の後縁部に隣接する上記脚覆いシート９側の部分を谷折れ線として、上記両上体覆いシート１０上に上記脚覆いシート９側を重ね合わせる（図４中二点鎖線）。次に、この脚覆いシート９側の前縁部に隣接する上記両上体覆いシート１０側の部分を谷折れ線として、上記脚覆いシート９側上に上記両上体覆いシート１０側を重ね合わせる（図４中一点鎖線）。すると、上記温熱健康器１が三枚重ね状に容易にコンパクトにされて、携行用バッグ２８などへの収容ができる。
【００５０】
よって、上記温熱健康器１を収納したり、搬送したりするときに温熱健康器１をコンパクトにするための作業が極めて容易にできて便利である。
【００５１】
なお、以上は図示の例によるが、上記ヒーター５は、上記脚覆いシート９や上体覆いシート１０に設けてもよい。また、上記後部ファスナー１７や前部ファスナー１８は面テープで構成してもよく、中途部ファスナー１９はチャックとしてもよい。
【図面の簡単な説明】
【００５２】
【図１】温熱健康器の展開平面図である。
【図２】温熱健康器の展開側面図である。
【図３】温熱健康器の一部組み立て斜視図である。
【図４】温熱健康器をコンパクトにするための作業をする時の作用説明図である。
【符号の説明】
【００５３】
１    温熱健康器
２    内部空間
３    人体
４    袋状体
５    ヒーター
７    脚部
８    主シート
９    脚覆いシート
１０  上体覆いシート
１２  仮想平面
１３  脚覆いシート本体
１４  側部シート
１７  後部ファスナー
１８  前部ファスナー
１９  中途部ファスナー
２３  上体
２４  頭部
Ｌ１  全長
Ｌ２  全長